(57)【要約】【課題】色見本カード内にある基調色、副調色、強調色のいずれかの色見本から色を選択し、色見本カードを決定し、その色見本カードにある複数の色見本から２以上の色を容易に選択することができるもの、又は、被塗装物に隣接するものの色を考慮して色を容易に選択することができる色見本カードを提供する。【解決手段】色を示す色見本が３色以上を並べて示した１枚の色見本カード１１であって、この３色以上の色見本には、その色見本カードの基本となる基調色、その基調色に変化を与えることができる副調色、色見本カード全体を引き締めることができる強調色をそれぞれ１種又は２種以上有し、前記基調色を示す基調色色見本１２が他の色を示す色見本の面積よりも大きく、前記強調色を示す強調色色見本１４の面積が最も小さいものである。【選択図】　　図１
2004102250.tif 000002
【特許請求の範囲】
【請求項１】
３色以上の色見本を並べて示した１枚の色見本カードであって、
この３色以上の色見本には、その色見本カードの基本となる基調色、その基調色に変化を与えることができる副調色、色見本カード全体を引き締めることができる強調色をそれぞれ１種又は２種以上有し、
前記基調色を示す基調色色見本が他の色を示す色見本の面積よりも大きく、前記強調色を示す強調色色見本の面積が最も小さいことを特徴とする色見本カード。
【請求項２】
基調色色見本、副調色色見本、強調色色見本が色見本カード上に並列に示され、その色見本カード中央部分にある色見本が基本色色見本であり、その基本色色見本の一方には、副調色色見本があり、これとは異なる方には、強調色色見本があることを特徴とする請求項１に記載の色見本カード。
【請求項３】
基調色色見本が１種類で、副調色色見本が及び強調色色見本が２種類以上示されていることを特徴とする請求項１又は請求項２に記載の色見本カード。
【請求項４】
基調色色見本、副調色色見本、強調色色見本の色相が同じで、明度及び／又は彩度が異なる色であることを特徴とする請求項１ないし請求項３のいずれかに記載の色見本カード。
【請求項５】
基調色色見本にある色が被塗装物又は被塗装物のある空間の中で、その色の占める割合が５０％〜８０％で、副調色色見本にある色が１５％〜３５％、強調色色見本にある色が５％〜１５％用いられることを特徴とする請求項１ないし請求項４のいずれかに記載の色見本カード。
【請求項６】
請求項１ないし請求項５のいずれかに記載の色見本カードを複数枚組合せたことを特徴とする色見本帳。
【請求項７】
前記複数枚の組合せが基調色色見本、副調色色見本及び強調色色見本のいずれかの色見本の色から受ける印象ごとにグループ化したものであることを特徴とする請求項６に記載の色見本帳。
【請求項８】
さらに、前記グループ化されたグループ別色見本帳を複数のグループ別色見本帳により構成させたことを特徴とする請求項６又は請求項７に記載の色見本帳。
【発明の詳細な説明】
【０００１】
【発明の属する技術分野】
この発明は、建築物などの構造物の塗装に用いられる塗料について、その塗料から得られる色を示し、それらの色から希望する色を選択するための色見本カード及びそれらを組合せた色見本帳に関するものである。
【０００２】
【従来の技術】
従来から、色見本カードや色見本帳による色の提案、選択を行ない、塗料の乾燥硬化した後の色を決定することが多い。この色見本カードの多くは、マンセル値などにより数値化し、その数値を記号化し、その記号を色の見出しとして用い、その記号順に表示したものである。
【０００３】
このマンセル値は、色を色相、明度、彩度に区分し、それぞれを数値化し、その３つの数値を組合わせて表したものである。このように色を記号として表したことにより、その記号によりある程度特定した色を選択することができる。つまり、色に付与されている記号が分かればその色をある程度特定することができるものである。
色に付与された記号により色をある程度特定することができるため、色を表現する場合に、「〜っぽい色」「〜のような色」などのあいまいな表現を用いることなく、個人差がなく適確に色を特定することができる。
【０００４】
【発明が解決しようとする課題】
ところが、色を数値化し、記号化して並べたカラーカードやカラー見本帳は、その記号により色を特定するには、たいへん優れたものであるが、希望する色を適確に選択することが困難な場合がある。これは、色を数値化し、その値から順に並べてあるため、色の濃淡の違いなどによる色の微差により表示される色数が多くなる場合がある。
【０００５】
このような色見本カード、色見本帳などを用いた場合では、被塗装物に２以上の色を付与する場合や被塗装物に隣接するものの色を考慮して色を選択する場合など、２以上の色を統一感があって、まとまりのある配色にすることが難しいことがある。つまり、従来にある色見本カード、色見本帳などでは、単色としての色を表現したものであり、そのため、色数が多くなる傾向があり、また、複数の色を組合わせて、統一感のあるまとまったものではなかった。
【０００６】
この発明は、上記のような従来技術に存在する問題点に着目してなされたものである。その目的とするところは、色見本カード内にある基調色、副調色、強調色のいずれかの色見本から色を選択し、色見本カードを決定し、その色見本カードにある複数の色見本から２以上の色を容易に選択することができるもの、又は、被塗装物に隣接するものの色を考慮して色を容易に選択することができるものであり、そして、その２以上の色、又は、隣接するものと被塗装物の色とが統一感があり、まとまりのあるものとなる色見本カードを提供することにある。
【０００７】
【課題を解決するための手段】
上記の目的を達成するために、請求項１に記載の発明の色見本カードは、３色以上の色見本を並べて示した１枚の色見本カードであって、この３色以上の色見本には、その色見本カードの基本となる基調色、その基調色に変化を与えることができる副調色、色見本カード全体を引き締めることができる強調色をそれぞれ１種又は２種以上有し、前記基調色を示す基調色色見本が他の色を示す色見本の面積よりも大きく、前記強調色を示す強調色色見本の面積が最も小さいものである。
【０００８】
請求項２に記載の発明の色見本カードは、請求項１に記載の発明において、基調色色見本、副調色色見本、強調色色見本が色見本カード上に並列に示され、その色見本カード中央部分にある色見本が基本色色見本であり、その基本色色見本の一方には、副調色色見本があり、これとは異なる方には、強調色色見本があるものである。
【０００９】
請求項３に記載の発明の色見本カードは、請求項１又は請求項２に記載の発明において、基調色色見本が１種類で、副調色色見本が及び強調色色見本が２種類以上示されているものである。
請求項４に記載の発明の色見本カードは、請求項１ないし請求項３のいずれかに記載の発明において、基調色色見本、副調色色見本、強調色色見本の色相が同じで、明度及び／又は彩度が異なる色であるものである。
【００１０】
請求項５に記載の発明の色見本カードは、請求項１ないし請求項４のいずれかに記載の発明において、基調色色見本にある色が被塗装物又は被塗装物のある空間の中で、その色の占める割合が５０％〜８０％で、副調色色見本にある色が１５％〜３５％、強調色色見本にある色が５％〜１５％用いられるものである。
請求項６に記載の発明の色見本帳は、請求項１ないし請求項５のいずれかに記載の色見本カードを複数枚組合せたものである。
【００１１】
請求項７に記載の発明の色見本帳は、請求項６に記載の発明において、前記複数枚の組合せが基調色色見本、副調色色見本及び強調色色見本のいずれかの色見本の色から受ける印象ごとにグループ化したものである。
請求項８に記載の発明の色見本帳は、請求項６又は請求項７に記載の発明において、さらに、前記グループ化されたグループ別色見本帳を複数のグループ別色見本帳により構成させたものである。
【００１２】
【発明の実施の形態】
以下、この発明の実施形態を詳細に説明する。
この発明は、３色以上の色見本を並べて示した１枚の色見本カードであって、この３色以上の色見本には、その色見本カードの基本となる基調色、その基調色に変化を与えることができる副調色、色見本カード全体を引き締めることができる強調色をそれぞれ１種又は２種以上有し、前記基調色を示す基調色色見本が他の色を示す色見本の面積よりも大きく、前記強調色を示す強調色色見本の面積が最も小さいものである。
【００１３】
この色見本カードは、塗料が乾燥硬化した後に形成される塗膜の色を選択、確認などを行なうものである。つまり、塗料により塗装される被覆物の塗装により得られる色を選択及び得られた色を確認するためのものである。
得られた色が塗装前に選択した色と同じであるかを確認する場合では、色見本カードに複数の色を示す必要はないが、塗装前に色を選択する場合、色見本カードに１色の色見本のみ示されているものでは、複数の色見本が示されている色見本カードに比べ、多くの枚数の色見本カードが必要となることになる。
【００１４】
この発明に記載された色見本カードは、主として、塗装前に色を選択するものであるため、多くの色見本が示されている色見本カードであり、３以上の色見本が示されているものであることが必要である。３以上の色見本が示されていることにより、色見本カードの基本となる基調色、その基調色に変化を与えることができる副調色、色見本カード全体を引き締めることができる強調色を１枚の色見本カードに示すことができ、１枚のカラーカードに色の統一感のあるまとまったもとなり、色の選択において、違和感のないものとなる。
【００１５】
基調色とは、１枚の色見本カードの基本となる色のことで、この基調色を基にして、後述する副調色及び強調色が決まり、１枚の色見本カード全体の印象やイメージが決定される重要なものである。
色見本カードは、被塗装物の種類、用途などにより選ぶことがあり、このため、色見本カードの基本となる基調色は、それに応じて選択されることが多い。つまり、この色見本カードの多くの場合、建築物などの構造物の外壁、内壁、天井などの塗装した後に得られる色を選択するためのものであることから、建築物に違和感なく、多く用いられている色を基調色とすることが好ましい。
【００１６】
建築物に違和感なく、多く用いられている色には、淡色系のものが多い。濃色系の色や赤、青といった原色を建築物の外壁に用いた場合、建築物の周辺との調和することが難しく、違和感のあるものとなることが多いため、用いられることが少ない。また、内壁や天井においても、濃色系の色や赤、青といった原色を用いた場合、その空間に置かれる家具などと調和するものが少なく、暗過ぎたり、明る過ぎたりすることがあり、違和感のある空間となることが多い。このようなことより、淡色系の色を用いることが多い。このようなことから基調色は、淡色系の色が好ましい。
【００１７】
色には、色相、明度及び彩度の属性があり、それにより色を表現することがある。色相は、赤、青、黄などの色みの違いをいうものであり、この色みのない色のことを無彩色といい、白、黒、灰色などがあり、赤、青、黄など色みのあるもののことを有彩色という。
明度は、明るさの度合いをいうものであり、明度が低い場合は、黒っぽい色のものを指し、高いものは、白っぽい色を指す。彩度は、色の鮮やかさを表すものであり、彩度が低い場合は、黒っぽいくすんだ色みの少ない色のものを指し、大きいものは、鮮やかな色みの強い色のものを指す。
さらに、明度と彩度の概念を合わせた色調により色の印象を表すことがある。この色調は、明度と彩度とが変化することにより色の調子が変化することであり、色の濃さや明るさに大きく影響するものである。
【００１８】
次に、副調色とは、基調色とは異なる色であって、基調色に変化を与えることができる色のことであり、基調色によりその副調色の色が決定される。例えば、基調色が淡色系の色であれば、その基調色より濃い色調の色や暗い色調の色を用いることになる。逆に、基調色が濃色系の色であれば、その基調色より薄い色調の色や明るい色調の色を用いることになる。
【００１９】
また、この副調色は、基調色と同じ色相のもの又は色相が近いものが好ましい。このような色相を用いることにより、色見本カードがよりまとまりのあるものとなる。
【００２０】
強調色とは、基調色及び副調色とは異なる色であって、色見本カード全体を引き締めることができる色のことで、基調色や副調色によりその強調色の色が決定される。
この強調色は、色見本カードにアクセントを与えるために用いられることから、色見本にある基調色が淡色系の色であれば、その強調色には、基調色、副調色より濃い色調の色や暗い色調の色を用いることになる。逆に、色見本にある基調色が濃色系の色であれば、その強調色には、基調色、副調色より薄い色調の色や明るい色調の色を用いることになる。さらに、基調色、副調色と対照的な色を用いることもできる。
【００２１】
さらに、基調色色見本、副調色色見本、強調色色見本の色相が同じで、明度及び／又は彩度が異なる色であることが好ましい。色相が異なる色で、基調色色見本、副調色色見本、強調色色見本作成し、組合せた場合では、色見本カードの統一感、まとまりに欠けることがある。そのため、各色見本の色の色相が同じで、明度、彩度又は色調が異なる色であれば、より統一感及びまとまりのあるものとなる。
【００２２】
上記のような基調色、副調色及び強調色がそれぞれ１又は２以上の色により色見本カードは、構成される。
しかし、基調色が２以上ある場合では、その基調色に対応した副調色及び強調色が必要となり、それぞれの基調色に対して、副調色及び強調色を特定しなければならいことになり、１枚の色見本カードのある色見本の配置が複雑になることがあり、色の選択が難しくなることがある。
【００２３】
このようなことにより、１枚の色見本カードにおいて、基調色色見本が１種類で、それに対応した副調色色見本が及び強調色色見本が２種類以上示されていることが好ましい。１つの基調色に対して複数の副調色色見本が及び強調色色見本があることにより、基調色を基とし、多くの色見本を統一感のある見栄えのする配色にした色見本カードを得ることができる。
【００２４】
また、１つの基調色に対する副調色色見本及び強調色色見本の数は、それぞれ２以上であることが好ましく、多すぎる場合には、副調色及び強調色の色の選択が難しくなることがあるため、副調色色見本及び強調色色見本がそれぞれ２〜５種類の色見本があることが好ましく、この範囲であれば、色の選択が容易なものとなる。
【００２５】
この基調色は、色見本カードの基本となる色であるが、被塗装物の大部分を占める色となることが多い。そのため、色見本カードにおいてもその基調色を示す基調色色見本の面積が他の色を示す色見本の面積よりも大きいことが必要である。また、色見本カードにおいて、アクセントに用いられる色である強調色は、被塗装物でもその色の占める面積が小さいことが多いため、色見本カードの色見本の中で最も小さい面積である。
【００２６】
さらに、色は、使用する面積によって、その色の感じ方が異なるものである。つまり、明るく鮮やかな色は、面積が大きくなることによって、より明るく鮮やかに感じるものであり、暗くくすんだ色は、面積が大きくなることによって、より暗くくすんだように感じるものである。
そのため、被塗装物の大部分を占める色となることが多い基調色は、その色見本カードにおいてもその基調色を示す基調色色見本の面積が他の色を示す色見本の面積よりも大きいことが必要である。このことにより、基調色の感じ方を実際の被塗装物に色を付与した後に感じる感じ方と近い物とすることができる。
【００２７】
また、色見本カードに示された複数の色見本の内、基調色色見本が他の色を示す色見本の面積よりも大きいものであることにより、被塗装物の大部分を占める色であり、希望するイメージに合う色を他の色見本にある色の影響をあまり受けることなく、的確に選択することができる。
さらに、建築物に違和感なく、多く用いられている色には、淡色系のものが多いため、この色見本カードにある基調色は、淡色系ものであることが多い。つまり、基調色以外の色見本は、基調色より濃い色の色見本であることになる。
【００２８】
このような場合、色見本カードに示された複数の色見本の内、最も薄い色を示す色見本が基調色となる。この淡色系の基準色色見本は、他の色見本より薄い色のため、他の色見本にある色の影響を受け、見劣りすることがあり、そのため、基準色色見本の面積をカラーカード内で相対的に大きくすることで、他の色見本にある色の影響を受け難くすることができる。
【００２９】
副調色は、上記にあるように基調色とは異なる色であって、基調色に変化を与えることができる色のことである。つまり、基調色に塗装された又は塗装する予定の被塗装物に対して、色での変化を与える色になる。
この副調色は、被塗装物での基調色が占める面積より小さい面積となるものである。そのことにより、色見本カードにある副調色色見本も基調色色見本に比較して、小さいものであることが必要である。
【００３０】
また、基調色が淡色系のものである場合では、その基調色より濃い色調の色や暗い色調の色を用いることになることが多い。そのため、基調色への影響を少なくし、見劣りすることなくするために副調色色見本が、基調色色見本より面積が小さいものであることが必要となる。
【００３１】
強調色は、上記にあるように基調色及び副調色とは異なる色であって、色見本カード全体を引き締めることができる色のことである。これも副調色と同様に、基調色に塗装された又は塗装する予定の被塗装物に対して、アクセント的に用いられる色になる。
この強調色は、被塗装物での基調色が占める面積や副調職の占める面積より小さい面積となるものである。そのことにより、色見本カードにある強調色色見本も基調色色見本や副調色色見本に比較して、小さいものであることが必要である。つまり、色見本カードにある色見本の中で最も小さい面積となる。
【００３２】
また、基調色が淡色系のものである場合では、その基調色、副調色より濃い色調の色や暗い色調の色を用いることになることが多い。そのため、基調色や副調色への影響を少なくし、見劣りすることなくするために強調色色見本が、基調色色見本及び副調色色見本より面積が小さいものであることが必要となる。
前述した色見本カードにある基調色色見本、副調色色見本及び強調色色見本にある各色により、被塗装物、又は、隣接するものと被塗装物の色とが統一感があり、まとまりのあるものとすることができる。
【００３３】
基調色は、被塗装物や被塗装物のある空間の中で、その色の占める割合が５０％〜８０％に使う予定又は使われているものである。また、副調色は、１５％〜３５％、強調色は、５％〜１５％の被塗装物や被塗装物のある空間の中で占めるものである。
これら基調色、副調色及び強調色を用いる代表的なものとして、建築物の外装であれば、基調色を外壁とした場合、副調色を窓枠などの建具、ドア、屋根のひさし部分である軒天、屋根などの色とし、強調色を外構部分である門扉、塀などの色とすることができる。また、外壁を基調色と副調色とで前記範囲内で構成させ、強調色を窓枠などの建具、ドア、屋根のひさし部分である軒天、屋根などの色とすることができる。
【００３４】
さらに、建築物の外装をその建築物のある空間で考えた場合では、空、海など自然にあるものや隣接する構造物の色を基調色とし、外壁を副調色の色から選択し、強調色を外構部分である門扉、塀などの色とすることができる。
建築物の内装や建築物の内装以外にも自動車、電車など人が居住する空間の場合であれば、壁、天井を基調色とし、椅子などの家具、電化製品に副調色の色を用い、インテリア用品の色を強調色とすることができる。
【００３５】
さらに、この色見本カードは、建築物や人の居住空間にある色の選択だけに限らず用いることができる。例えば、自動車の場合であれば、ボディーの色を基調色とし、バンパーなどの色を副調色とし、窓の周りなどを強調色として各色を選択することができる。また、椅子であれば、座部及び背もたれ部を基調色で選び、肘掛部を副調色で、脚部を強調色から選択することができる。
【００３６】
次に、この色見本カードでの基調色色見本、副調色色見本及び強調色色見本の配列について図を用いて説明する。
まず、図１及び図２には、色見本カードの実施形態の一例を示す。これらの色見本カード１１は、１枚の色見本カード１１に基調色、副調色及び強調色の３色を示す色見本を並べて示したものであって、基調色を示す基調色色見本１２が他の色を示す色見本の面積よりも大きく、強調色を示す強調色色見本１４の面積が最も小さいことものである。
【００３７】
これらの色見本カードは、矩形状のものであることが好ましい。矩形状であることにより、色見本カードの作成、保管、輸送などの効率が向上することがある。また、色見本の形状は、特に制限はないが、矩形状のものが好ましい。色見本の形状を矩形状にすることにより色見本の面積の違いが判り、矩形状のカラーカード内に効率的に示すことができる。
【００３８】
図１の色見本カード１１は、基調色色見本１２、副調色色見本１３、強調色色見本１４が色見本カードに並列に示され、その色見本カード１１の中央部分にある色見本が基本色色見本１２であり、その基本色色見本の一方には、副調色色見本１３があり、これとは異なる方には、強調色色見本１４があるものであり、
このように色見本カードの中央部分に基調色があることで、基調色に対しての副調色及び強調色を選ぶことができ、基調色に対して、まとまりのある色を選定することができる。
【００３９】
また、各色見本間の隙間１５を設けることが好ましい。隙間１５を設けることにより、各色見本の境界がはっきりし、色見本カードにある複数の色を区別することが容易なものとなる。また、この隙間１５の色は、その色見本カードにない色であれば良く、淡色、濃色の区別のない、白色などが好ましい。また、透明であってもなんら問題はない。
【００４０】
また、色見本カードの端に空白部１６を設けることが好ましい。この端にある空白部１６は、色見本カードを手で触る場合などに利用することができ、色見本カードにある色見本に触れることなく色見本カードを扱うことができる。色見本カードに手などで頻繁に触れたことにより手垢などで色見本が汚れることがあり、その色が変化することがある。
【００４１】
さらに、複数枚の色見本カードを綴じる場合にも用いることができる。この空白部１６を色見本カードの綴じ代とすることにより、色見本を傷つけることなく綴じることができる。
このように空白部１６を利用することができるため、２箇所以上あることが好ましいことになる。２箇所以上あることにより、１つの空白部１６を利用してカラーカードを複数枚の綴じたカラー見本帳を作成した場合、もう１つ以上の空白部１６を利用して色見本カードを扱うことができる。
【００４２】
さらに、図３には、１枚の色見本カード１１の中央部分に基本色色見本１２、その基本色色見本１２の一方には、３種類の副調色色見本１３ａ〜１３ｃがあり、これとは異なる方には、３種類の強調色色見本１４ａ〜１４ｃがあるものであり、基調色色見本１２が他の色を示す色見本の面積よりも大きく、強調色色見本１４ａ〜１４ｃの面積が最も小さいものを示したものである。
このように色見本カードの中央部分に基調色色見本１２があることで、基調色に対して、複数色の副調色及び強調色から色を選ぶことができ、基調色に対して、まとまりのある色を選定することができる。また、１つの色見本カード１１に多くの色見本を示すことができる。
【００４３】
上記のような構成の色見本カードは、複数枚用意され、その中から色を決めることが多い。以下に、この色見本カードの使い方について説明する。
被塗装物が基調色により塗装される場合では、複数枚の色見本カードの基調色色見本により、色を選定する。その選定された色がある色見本カードにある副調色色見本、強調色色見本からそれぞれ必要な色を決める。
【００４４】
被塗装物が副調色又は強調色により塗装される場合では、基調色になるものの色から色見本カードを選択する。その色見本カードにある副調色色見本又は強調色色見本からその被塗装物の色を選定する。
このように、複数の色見本カードを用意するため、複数枚組合せた色見本帳にして用いることが好ましい。
【００４５】
図４には、図３に示した色見本カード１１を複数枚組合せた色見本帳を示す。この色見本帳は、複数枚の色見本カード１１を止め具１９により綴じたものである。このように複数枚のカラーカードをまとめることにより、多くの色見本カードを持ち運びが容易なものとすることができ、多くの色から色の選択が容易にできるものとなる。また、綴じることにより、色見本帳がバラバラになることがないものとなる。
【００４６】
図４に示された色見本帳は、色見本カード１１の端にある空白部１６のほぼ中央部の１箇所を止め具１９により綴じたものである。この止め具１９の位置は、特に制限があるものではないが、色見本カードにある空白部１６にあれば良く、このように綴じることにより、色見本を傷つけることなく綴じることができる。また、１箇所だけで綴じることにより、図４に示したように複数の色見本カード１１を扇状に広げることができ、見易すく、色の選択が容易なものとなる。
【００４７】
色見本帳を構成する複数の色見本カードは、任意に選択したものでも良いが、基調色色見本、副調色色見本及び強調色色見本のいずれかの色見本の色から受ける印象ごとにグループ化したものが好ましい。
このように色から受ける印象ごとにグループ化することにより、色の選択が迅速に行なうことができることがある。このグループは、赤系、青系などのように色相の系統別としたもの、ナチュラル、モダン、クラシックなどと言った雰囲気を代表するもの、中間色彩、くすみ系の色彩、明るい色彩などと言った色の明るさ別にしたものなどがある。
このように色から受ける印象ごとにグループ別色見本帳を用いることにより、前もってイメージしている色から受ける印象により色見本帳を選択することができるため、色の選択及び決定が容易で、速いものとなる。
【００４８】
また、上記のようなグループ別色見本帳を複数集めたものであることがより好ましい。このようにすることにより、前もって色のイメージがない場合には、より多くの色がイメージ別にグループ化されているため、まず、イメージによりある程度の色を絞り込み、そのグループを決め、決められたグループにある複数の色見本により色を選択することができ、イメージとした色を効率的で、適確に決定することができるものである。
この複数のグループ別色見本帳は、各グループ別色見本帳を止め具などにより１つにまとめた形態や別々にあるグループ別色見本帳を１つの容器に収めた形態などがある。この形態については、利用者が適宜選択することができるものである。
【００４９】
以上のように、この実施形態によれば次のような効果が発揮される。
・　３色以上の色見本を並べて示した１枚の色見本カードであって、この３色以上の色見本には、その色見本カードの基本となる基調色、その基調色に変化を与えることができる副調色、色見本カード全体を引き締めることができる強調色をそれぞれ１種又は２種以上有し、前記基調色を示す基調色色見本が他の色を示す色見本の面積よりも大きく、前記強調色を示す強調色色見本の面積が最も小さいものであることにより、色見本カード内にある基調色、副調色、強調色のいずれかの色見本から色を選択し、色見本カードを決定し、その色見本カードにある複数の色見本から２以上の色を容易に選択することができるもの、又は、被塗装物に隣接するものの色を考慮して色を容易に選択することができるものであり、そして、その２以上の色、又は、隣接するものと被塗装物の色とが統一感があり、まとまりのあるものとなる。
【００５０】
また、基調色を示す基調色色見本の面積が他の色を示す色見本の面積よりも大きく、強調色色見本の面積が最も小さいことで、基調色の感じ方を実際の被塗装物に色を付与した後に感じる感じ方と近い物とすることができる。
【００５１】
・　基調色色見本、副調色色見本、強調色色見本が色見本カード上に並列に示され、その色見本カード中央部分にある色見本が基本色色見本であり、その基本色色見本の一方には、副調色色見本があり、これとは異なる方には、強調色色見本があることにより、基調色に対しての副調色及び強調色を選ぶことができ、基調色に対して、まとまりのある色を選定することができる。
【００５２】
・　基調色色見本が１種類で、副調色色見本が及び強調色色見本が２種類以上示されているものであることにより、基調色を基とし、多くの色見本を統一感のある見栄えのする配色にした色見本カードを得ることができる。
・　基調色色見本、副調色色見本、強調色色見本の色相が同じで、明度及び／又は彩度が異なる色であるものであることにより、色見本カードがより統一感及びまとまりのあるものとなる。
【００５３】
・　基調色色見本にある色が被塗装物又は被塗装物のある空間の中で、その色の占める割合が５０％〜８０％で、副調色色見本にある色が１５％〜３５％、強調色色見本にある色が５％〜１５％用いられることにより、色見本カードと同様に被塗装物又は被塗装物のある空間に統一感があり、まとまりのあるものとなる。
・　請求項１ないし請求項４のいずれかに記載の色見本カードを複数枚組合せたものであることにより、多くの色から色の選択が容易にできるものとなる。
【００５４】
・　前記複数枚の組合せが基調色色見本、副調色色見本及び強調色色見本のいずれかの色見本の色から受ける印象ごとにグループ化したものであることにより、前もってイメージしている色から受ける印象により色見本帳を選択することができるため、色の選択及び決定が容易で、速いものとなる。
・　さらに、前記グループ化されたグループ別色見本帳を複数のグループ別色見本帳により構成させたものであることにより、前もって色のイメージがない場合には、より多くの色がイメージ別にグループ化されているため、まず、イメージによりある程度の色を絞り込み、そのグループを決め、決められたグループにある複数の色見本により色を選択することができ、イメージとした色を効率的で、適確に決定することができるものである。
【００５５】
・　１つの基調色に対する副調色色見本及び強調色色見本の数が副調色色見本及び強調色色見本がそれぞれ２〜５種類の色見本であることにより、色の選択が容易なものとなる。
・　色見本カードが矩形状のものであることにより、色見本カードの作成、保管、輸送などの効率が向上することがある。
【００５６】
・　色見本の形状が矩形状のものであることにより、色見本の面積の違いが判り、矩形状のカラーカード内に効率的に示すことができる。
・　各色見本間に隙間を設けることにより、各色見本の境界がはっきりし、色見本カードにある複数の色を区別することが容易なものとなる。
【００５７】
・　色見本カードの端に空白部を設けることにより、色見本カードを手で触る場合などに利用することができ、色見本カードにある色見本に触れることなく色見本カードを扱うことができ、色見本カードに手などで頻繁に触れたことによる汚れることが少なく、色の変化が少ないものである。
また、複数枚の色見本カードを綴じる場合では、この空白部を色見本カードの綴じ代とすることにより、色見本を傷つけることなく綴じることができる。
【００５８】
・　複数枚の色見本カードを止め具により綴じたものであることにより、多くの色見本カードを持ち運びが容易なものとすることができ、多くの色から色の選択が容易にできるものとなる。また、綴じることにより、色見本帳がバラバラになることがないものとなる。
【００５９】
次に、前記実施形態から把握できる技術的思想について以下に記載する。
・　請求項１ないし請求項４のいずれかに記載の色見本カードであって、この色見本カードが建築物に係わる色彩提案に用いられるもので、基調色色見本の色が淡色系の色であり、基調色色見本の色が他の色見本より薄い色であることを特徴とする色見本カード。
このことにより、建築物に違和感ない基調色を選択することができるものである。
【００６０】
・　請求項１ないし請求項４のいずれかに記載の色見本カードであって、この色見本カードが建築物に係わる色彩提案に用いられるもので、基調色色見本の色が淡色系の色であり、基調色色見本の色が他の色見本より薄い淡色系の色であり、副調色色見本及び強調色色見本の色が基調色色見本にある色より、濃い色調の色及び／又は暗い色調であることを特徴とする色見本カード。
このことにより、建築物に違和感なく、基調色、副調色及び強調色を選択することができるものである。
【００６１】
【発明の効果】
この発明は、以上のように構成されているため、次のような効果を奏する。
請求項１に記載の発明の色見本カードによれば、色見本カード内にある基調色、副調色、強調色のいずれかの色見本から色を選択し、色見本カードを決定し、その色見本カードにある複数の色見本から２以上の色を容易に選択することができるもの、又は、被塗装物に隣接するものの色を考慮して色を容易に選択することができるものであり、そして、その２以上の色、又は、隣接するものと被塗装物の色とが統一感があり、まとまりのあるものとなる。
【００６２】
請求項２に記載の発明の色見本カードによれば、請求項１に記載の発明の効果に加え、基調色に対しての副調色及び強調色を選ぶことができ、基調色に対して、まとまりのある色を選定することができる。
【００６３】
請求項３に記載の発明の色見本カードによれば、請求項１又は請求項２に記載の発明の効果に加え、基調色を基とし、多くの色見本を統一感のある見栄えのする配色にした色見本カードを得ることができる。
【００６４】
請求項４に記載の発明の色見本カードによれば、請求項１ないし請求項３のいずれかに記載の発明の効果に加え、色見本カードがより統一感及びまとまりのあるものとなる。
【００６５】
請求項５に記載の発明の色見本カードによれば、請求項１ないし請求項４のいずれかに記載の発明の効果に加え、色見本カードと同様に被塗装物又は被塗装物のある空間に統一感があり、まとまりのあるものとなる。
【００６６】
請求項６に記載の発明の色見本帳によれば、多くの色から色の選択が容易にできるものとなる。
【００６７】
請求項７に記載の発明の色見本帳によれば、請求項５に記載の発明の効果に加え、前もってイメージしている色から受ける印象により色見本帳を選択することができるため、色の選択及び決定が容易で、速いものとなる。
【００６８】
請求項８に記載の発明の色見本カードによれば、請求項５又は請求項６に記載の発明の効果に加え、前もって色のイメージがない場合には、より多くの色がイメージ別にグループ化されているため、まず、イメージによりある程度の色を絞り込み、そのグループを決め、決められたグループにある複数の色見本により色を選択することができ、イメージとした色を効率的で、適確に決定することができるものである。
【図面の簡単な説明】
【図１】色見本カードの一例
【図２】色見本カードの一例
【図３】色見本カードの一例
【図４】図３に示した色見本カードを複数枚組合せたカラー見本帳
【符号の説明】
１１…色見本カード。１２…基調色色見本。１３…副調色色見本。１４…強調色色見本。１５…隙間。１６…空白部。
【図１】
2004102250.tif 000003
【図２】
2004102250.tif 000004
【図３】
2004102250.tif 000005
【図４】
2004102250.tif 000006